(57)【要約】【課題】所望の項目の設定等を効率よく容易に行えるようにする。【解決手段】表示部１２は、選択可能な項目を二次元配置した項目選択画面を表示する。操作入力部１３は、ユーザ操作を受け付ける。制御部１５は、操作入力部１３で項目切替操作を受け付ける毎に、項目選択画面において二次元配置されている項目を所定の選択方向に順次選択して、選択方向の端部側項目を選択したのち、選択方向所定側に隣接する隣接項目を、選択方向とは逆方向側の端部側項目から選択方向に順次選択する。項目選択画面で項目が二次元配置されていることから、どのような項目の選択が可能であるか容易に把握できる。また、項目切替操作の繰り返しによって、所望の項目を容易に選択することが可能となり、所望の項目の設定等を効率よく行える。【選択図】        図１
2017117251.tif 000002
【特許請求の範囲】
【請求項１】
操作入力部で項目切替操作を受け付ける毎に、項目選択画面において二次元配置されている項目を所定の選択方向に順次選択して、前記選択方向の端部側項目を選択したのち、選択方向所定側に隣接する隣接項目を、前記選択方向とは逆方向側の端部側項目から前記選択方向に順次選択する制御部
を備える情報処理装置。
【請求項２】
前記制御部は、前記選択方向に並んで配置されている項目に対して選択方向所定側に隣接する隣接項目がない場合、前記選択方向の端部側項目を選択したのち、前記項目選択画面における対角側の項目を選択する
請求項１に記載の情報処理装置。
【請求項３】
前記制御部は、前記項目が所定数よりも多い場合に前記項目を複数の項目選択画面に振り分けて表示し、前記選択方向に並んで配置されている項目に対して選択方向所定側に隣接する隣接項目がなく、前記選択方向の端部側項目を選択しているとき、その後の項目切替操作に応じて前記項目選択画面の切り替えを行う
請求項１に記載の情報処理装置。
【請求項４】
前記制御部は、項目選択画面毎に当該項目選択画面を選択表示するための見出し表示を設け、前記項目選択画面の切り替え後の項目選択位置を前記見出し表示の位置とする
請求項３に記載の情報処理装置。
【請求項５】
前記制御部は、前記項目選択位置が前記見出し表示とされた状態で指定操作が行われたとき、前記項目選択画面の切り替えを行う
請求項４に記載の情報処理装置。
【請求項６】
前記制御部は、前記項目選択位置が前記見出し表示の位置で前記項目切替操作が行われたとき、前記項目選択位置を前記項目選択画面における予め設定した項目位置とする
請求項４に記載の情報処理装置。
【請求項７】
前記項目は階層構造であり、
前記制御部は、指定操作が行われたとき、項目選択位置の項目が最下層の項目でない場合に階層切り替えを行い、項目選択位置の項目に関する項目選択画面を表示させる
請求項１に記載の情報処理装置。
【請求項８】
前記制御部は、前記階層切替後の項目選択画面に、階層切替前の項目選択画面に戻る機能を割り当てた項目を含める
請求項７に記載の情報処理装置。
【請求項９】
前記制御部は、前記項目の表示情報量が閾値以上である場合、前記項目をリスト表示した項目選択画面を表示させる
請求項１に記載の情報処理装置。
【請求項１０】
前記操作入力部は、前記項目切替操作を受け付ける項目切替操作部を有し、
前記項目切替操作部は、前記項目選択画面を表示する表示部に対して前記表示部の中心よりも前記所定の選択方向に移動した位置に配置した
請求項１に記載の情報処理装置。
【請求項１１】
前記操作入力部は、第１の項目切替操作部と第２の項目切替操作部とを備え、
前記第１の項目切替操作部は前記表示部の中心よりも前記所定の選択方向に移動した位置、前記第２の項目切替操作部は前記表示部の中心よりも前記所定の選択方向とは逆方向に移動した位置にそれぞれ配置して、
前記制御部は、前記第１の項目切替操作部でユーザ操作が行われる毎に前記所定の選択方向に並んで配置されている項目を前記所定の選択方向に順次選択して、前記第２の項目切替操作部でユーザ操作が行われる毎に前記第１の項目切替操作部の操作時とは逆方向に前記項目を順次選択する
請求項１０に記載の情報処理装置。
【請求項１２】
前記制御部は、前記項目選択画面において第１の方向および前記第１の方向と直交する第２の方向に二次元配置されている項目を第１の方向に順次選択して、前記第１の方向の端部側項目を選択したのち、前記第２の方向側に隣接する隣接項目を、前記第１の方向の端部側とは逆方向側の端部側項目から前記第１の方向に順次選択する
請求項１に記載の情報処理装置。
【請求項１３】
項目切替操作を受け付ける毎に、項目選択画面において二次元配置されている項目を所定の選択方向に順次選択して、前記選択方向の端部側項目を選択したのち、前記選択方向所定側に隣接する隣接項目を、前記選択方向とは逆方向側の端部側項目から前記選択方向に順次選択すること
を含む情報処理方法。
【請求項１４】
項目選択動作をコンピュータで実行させるプログラムであって、
項目切替操作を受け付ける毎に、項目選択画面において二次元配置されている項目を所定の選択方向に順次選択して、前記選択方向の端部側項目を選択したのち、前記選択方向所定側に隣接する隣接項目を、前記選択方向とは逆方向側の端部側項目から前記選択方向に順次選択する手順
を前記コンピュータで実行させるプログラム。
【発明の詳細な説明】
【技術分野】
【０００１】
この技術は、情報処理装置と情報処理方法およびプログラムに関する。
【背景技術】
【０００２】
従来、デジタルカメラ等の電子機器は、様々な機能を有しており、機器の操作や設定等が複雑になっている。また、電子機器の小型化に伴い、操作キーや操作ボタン等の削減も図られている。例えば特許文献１では、撮像装置と通信を行う情報処理装置に操作部を設けて、操作部を介して撮像画像の表示やＧＵＩの変更等の操作が可能とされている。
【先行技術文献】
【特許文献】
【０００３】
【特許文献１】特開２０１５−１２７９２０号公報
【発明の概要】
【発明が解決しようとする課題】
【０００４】
ところで、電子機器に様々な機能が設けられることで、機器の動作や機能等に関する設定項目も増大している。このため、操作キーや操作ボタン等が削減されても、所望の項目の設定等を効率よく容易に行えることが望まれる。
【０００５】
そこで、この技術では、所望の項目の設定等を効率よく容易に行える情報処理装置と情報処理方法とプログラムを提供することを目的とする。
【課題を解決するための手段】
【０００６】
この技術の第１の側面は
操作入力部で項目切替操作を受け付ける毎に、項目選択画面において二次元配置されている項目を所定の選択方向に順次選択して、前記選択方向の端部側項目を選択したのち、前記選択方向所定側に隣接する隣接項目を、前記選択方向とは逆方向側の端部側項目から前記選択方向に順次選択する制御部
を備える情報処理装置にある。
【０００７】
この技術において、表示部は項目を二次元配置した項目選択画面を表示する。操作入力部は、項目切替操作や指定操作等のユーザ操作を受け付ける。制御部は、操作入力部で項目切替操作を受け付ける毎に、項目選択画面において所定の選択方向に並んで配置されている項目を順次選択する。また、制御部は、選択方向の端部側項目を選択したのち、選択方向所定側に隣接する隣接項目を、選択方向とは逆方向側の端部側項目から選択方向に順次選択する。例えば、制御部は、項目選択画面において第１の方向および第１の方向と直交する第２の方向に二次元配置されている項目を第１の方向に順次選択して、第１の方向の端部側項目を選択したのち、第２の方向側に隣接する隣接項目を、第１の方向の端部側とは逆方向側の端部側項目から第１の方向に順次選択する。さらに、制御部は、選択方向に並んで配置されている項目に対して選択方向所定側に隣接する隣接項目がない場合、選択方向の端部側項目を選択したのち、前記項目選択画面における対角側の項目を選択する。
【０００８】
また、項目が所定数よりも多く項目を複数の項目選択画面に振り分けて表示する場合、選択方向に並んで配置されている項目に対して選択方向所定側に隣接する隣接項目がなく、選択方向の端部側項目を選択したのち、項目選択画面の切り替えを行う。項目選択画面毎に当該項目選択画面を選択表示するための見出し表示を設ける場合、項目選択画面の切り替え後の項目選択位置は見出し表示の位置として、項目選択位置が見出し表示とされた状態で指定操作が行われたときは項目選択画面の切り替えを行い、項目切替操作が行われたときは、項目選択位置を項目選択画面における予め設定した項目位置とする。
【０００９】
項目は階層構造であり、制御部は指定操作が行われたとき項目選択位置の項目が最下層の項目でない場合に階層切り替えを行い、項目選択位置の項目に関する項目選択画面を表示させて、この階層切替後の項目選択画面には、階層切替前の項目選択画面に戻る機能を割り当てた項目を含めるようにする。また、制御部は、項目の表示情報量が閾値以上である場合、項目をリスト表示した項目選択画面を表示させる。
【００１０】
操作入力部は、項目切替操作を受け付ける項目切替操作部を有しており、項目切替操作部は、表示部に対して表示部の中心よりも所定の選択方向に移動した位置に配置する。また、操作入力部は、第１の項目切替操作部と第２の項目切替操作部とを備え、第１の項目切替操作部は項目選択画面を表示する表示部の中心よりも所定の選択方向に移動した位置、第２の項目切替操作部は表示部の中心よりも所定の選択方向とは逆方向に移動した位置にそれぞれ配置して、制御部は、第１の項目切替操作部でユーザ操作が行われる毎に所定の選択方向に並んで配置されている項目を選択方向に順次選択して、第２の項目切替操作部でユーザ操作が行われる毎に第１の項目切替操作部の操作時とは逆方向に項目を順次選択する。
【００１１】
この技術の第２の側面は、
項目切替操作を受け付ける毎に、項目選択画面において二次元配置されている項目を所定の選択方向に順次選択して、前記選択方向の端部側項目を選択したのち、前記選択方向所定側に隣接する隣接項目を、前記選択方向とは逆方向側の端部側項目から前記選択方向に順次選択することを含む情報処理方法にある。
【００１２】
この技術の第３の側面は、
項目選択動作をコンピュータで実行させるプログラムであって、
項目切替操作を受け付ける毎に、項目選択画面において二次元配置されている項目を所定の選択方向に順次選択して、前記選択方向の端部側項目を選択したのち、前記選択方向所定側に隣接する隣接項目を、前記選択方向とは逆方向側の端部側項目から前記選択方向に順次選択する手順を前記コンピュータで実行させるプログラムにある。
【００１３】
なお、本技術のプログラムは、例えば、様々なプログラム・コードを実行可能な汎用コンピュータに対して、コンピュータ可読な形式で提供する記憶媒体、通信媒体、例えば、光ディスクや磁気ディスク、半導体メモリなどの記憶媒体、あるいは、ネットワークなどの通信媒体によって提供可能なプログラムである。このようなプログラムをコンピュータ可読な形式で提供することにより、コンピュータ上でプログラムに応じた処理が実現される。
【発明の効果】
【００１４】
この技術によれば、操作入力部で項目切替操作を受け付ける毎に、項目選択画面において二次元配置されている項目が所定の選択方向に順次選択される。さらに、選択方向の端部側項目が選択されたのち、選択方向所定側に隣接する隣接項目が選択方向とは逆方向側の端部側項目から選択方向に順次選択される。このため、項目切替操作を繰り返すだけで、二次元表示された複数項目から所望の項目を容易に選択することが可能となり、所望の項目の設定等を効率よく容易に行える。なお、本明細書に記載された効果はあくまで例示であって限定されるものではなく、また付加的な効果があってもよい。
【図面の簡単な説明】
【００１５】
【図１】情報処理装置の構成を示す図である。
【図２】項目選択動作を例示した図である。
【図３】項目選択動作を示すフローチャートである。
【図４】項目切替ボタンと表示部との位置関係を例示した図である。
【図５】情報処理システムを例示した図である。
【図６】撮像装置とリモコン装置間の通信例を示した図である。
【図７】撮像装置とリモコン装置の構成を例示した図である。
【図８】項目選択動作を例示した図である。
【図９】第１階層の項目選択画面における項目選択動作を例示した図である。
【図１０】動画設定の項目選択画面のページ切替動を説明するための図である。
【図１１】動画設定の項目選択画面の他のページ切替動作を説明するための図である。
【図１２】撮像装置における項目選択動作のフローチャート例である。
【図１３】項目表示処理のフローチャート例である。
【発明を実施するための形態】
【００１６】
以下、本技術を実施するための形態について説明する。なお、説明は以下の順序で行う。
１．情報処理装置の構成と動作
２．適用例
３．他の形態について
【００１７】
＜１．情報処理装置の構成＞
図１は、本技術の情報処理装置の構成を示している。情報処理装置１０は、処理部１１と表示部１２と操作入力部１３および制御部１５とを有している。
【００１８】
処理部１１は、情報処理装置１０の種々の処理を行うブロックである。例えば情報処理装置１０を後述するように撮像システムに適用した場合、処理部１１では、静止画や動画の画像信号の生成処理等を行う。
【００１９】
表示部１２は、液晶表示素子または有機ＥＬ表示素子等を用いて構成されている。表示部１２では、処理部１１で処理された情報の表示や処理部１１で行われる処理の設定画面等を表示する。
【００２０】
操作入力部１３は、操作ボタンや操作スイッチ等で構成されており、ユーザ操作に応じて操作信号を生成して制御部１５へ出力する。
【００２１】
制御部１５は、操作入力部１３からの操作信号に基づき、ユーザ操作に応じた処理が行われるように処理部１１を制御する。また、制御部１５は、情報処理装置１０の動作や機能等に関する項目を二次元配置した項目選択画面を表示部１２で表示させる。さらに、制御部１５は、項目選択画面の表示中に操作入力部１３から供給された操作信号に基づき、項目切り替えや項目の指定および指定された項目の設定等を行い、ユーザ操作に応じた動作が行われるように情報処理装置１０の各部を制御する。
【００２２】
＜２．情報処理装置の動作＞
次に情報処理装置１０の動作について説明する。制御部１５は、操作入力部１３で項目切替操作を受け付ける毎に、項目選択画面において二次元配置されている項目を所定の選択方向に順次選択する。また、制御部１５は、選択方向の端部側項目を選択したのち、選択方向所定側に隣接する隣接項目を、選択方向とは逆方向側の端部側項目から選択方向に順次選択する。
【００２３】
図２は、項目選択動作を例示している。操作入力部１３は、図示せずも、項目選択動作を開始または終了させる操作ボタンと、項目選択位置を移動させる選択操作ボタン、項目選択位置で示された項目の指定操作を行う指定操作ボタンを有している。制御部１５は、項目選択動作の開始操作が行われた場合、項目選択画面を表示する。図２の（ａ）は項目選択画面における項目の二次元配置を例示している。例えば図２の（ａ）では項目ＳＥ１〜ＳＥ１２が４行×３列の二次元配置とされている。
【００２４】
制御部１５は、項目選択画面を表示したとき、項目選択位置をユーザが識別可能なように表示する。また、項目選択画面を表示したときの項目選択位置は、予め指定されている位置または前回の項目選択動作終了時に選択されていた項目の位置とする。図２の（ｂ）は、項目選択画面を表示したときの項目選択位置を例示しており、破線の枠で示す項目ＳＥ１が項目選択位置である。
【００２５】
制御部１５は、項目切替操作が行われたことを判別した場合、図２の（ｃ）に示すように、項目選択位置を所定の選択方向（例えば矢印で示す方向）に移動して、項目ＳＥ２を項目とする。その後、制御部１５は、項目切替操作が行われる毎に、項目選択位置を所定の選択方向に移動する。
【００２６】
また、制御部１５は、項目選択位置が選択方向の端部側項目ＳＥ４の位置とされている状態で項目切替操作が行われたことを判別した場合、図２の（ｄ）に示すように、選択方向に並んで配置されている項目（ＳＥ１乃至ＳＥ４）に対して選択方向所定側に隣接する隣接項目（ＳＥ５乃至ＳＥ８）を、選択方向とは逆方向側の端部側項目（ＳＥ５）の位置に移動する。その後、制御部１５は、項目切替操作が行われたことを判別した場合、図２の（ｅ）に示すように、項目選択位置を所定の選択方向に隣接する項目（ＳＥ６）の位置に移動する。
【００２７】
また、制御部１５は、選択方向に並んで配置されている項目に対して選択方向所定側に隣接する隣接項目がない場合、選択方向の端部側項目を選択したのち、項目選択画面における対角側の項目を選択する。すなわち、制御部１５は、項目選択画面の端部位置である項目ＳＥ９乃至項目ＳＥ１２を所定の選択方向に順次選択して、選択方向の端部側項目である項目ＳＥ１２を選択したあとは、項目選択位置を対角側の項目ＳＥ１の位置に移動する。
【００２８】
情報処理装置は、このような処理を行い、ユーザの項目切替操作毎に、図２の（ｆ）の矢印で示す順序で項目選択位置を移動させる。したがって、項目選択位置を例えば上下左右に移動させるために方向毎に操作ボタンを設けなくとも、項目選択位置を所定の選択方向に移動させる操作ボタンを設けて、この操作ボタンをユーザが操作するだけで所望の項目を選択できるようになる。また、項目選択画面では、項目が二次元配置されていることから、どのような項目の選択が可能であるか容易に把握できるようになる。
【００２９】
図３は、項目選択動作を示すフローチャートである。制御部１５は項目選択動作の開始操作が行われた場合、図３に示す処理を行う。
【００３０】
ステップＳＴ１で制御部１５は、項目選択画面を表示する。制御部１５は項目を二次元配置した項目選択画面を表示部１２に表示させる。また、制御部１５は、項目選択位置を項目選択画面における予め指定されている位置または前回の項目選択動作終了時に選択されていた項目の位置としてステップＳＴ２に進む。
【００３１】
ステップＳＴ２で制御部１５は、項目切替操作が行われたか判別する。制御部１５は、操作入力部１３で項目選択操作が行われたと判別した場合はステップＳＴ３に進み、項目選択操作が行われていないと判別した場合はステップＳＴ６に進む。
【００３２】
ステップＳＴ３で制御部１５は、項目選択位置が所定の選択方向の端部側項目でないか判別する。制御部１５は、項目選択位置が所定の選択方向に配置された項目における端部側項目の位置でない場合にステップＳＴ４に進み、端部側項目の位置である場合にステップＳＴ５に進む。
【００３３】
ステップＳＴ４で制御部１５は、項目選択位置を所定の選択方向に隣接する項目の位置に移動する。制御部１５は、現在の項目選択位置の項目に対して所定の選択方向に隣接する項目の位置に項目選択位置を移動してＳＴ８に進む。
【００３４】
ステップＳＴ３からステップＳＴ５に進むと、制御部１５は項目選択位置を隣接項目における逆方向側の端部側項目に移動する。制御部１５は、項目選択位置を所定の選択方向の端部側項目の位置まで移動していることから、選択方向に並んで配置されている項目に対して選択方向所定側に隣接する隣接項目の逆方向側の端部側項目に項目選択位置を移動してステップＳＴ８に進む。また、制御部１５は、選択方向に並んで配置されている項目に対して選択方向所定側に隣接する隣接項目がない場合、項目選択画面における対角側の項目を隣接項目の逆方向側の端部側項目として項目選択位置を移動する。
【００３５】
ステップＳＴ２からステップＳＴ６に進むと、制御部１５は指定操作が行われたか判別する。制御部１５は、操作入力部１３で指定操作が行われたと判別した場合にステップＳＴ７に進み、指定操作が行われていないと判別した場合にステップＳＴ８に進む。
【００３６】
ステップＳＴ７で制御部１５は、指定項目に応じた処理を行う。制御部１５は、表示部１２の表示画面を項目選択画面から指定された項目に関する画面、例えば設定や変更等を行うための画面に切り替えて、ユーザ操作に応じた項目の選択や設定・変更等を行いステップＳＴ８に進む。
【００３７】
ステップＳＴ８で制御部１５は、項目選択動作の終了であるか判別する。制御部１５は、操作入力部１３で項目選択動作を終了する操作が行われていないと判別した場合にステップＳＴ２に戻り、終了操作が行われた判別した場合に項目選択動作を終了する。
【００３８】
このような処理を制御部１５で行えば、図２に示す項目選択動作を行うことができる。なお、図３に示すフローチャートは一例であって、図２に示す項目選択動作は、図３に示すフローチャートの処理に限られない。
【００３９】
ところで、項目選択位置を所定の選択方向に移動させる操作ボタンを設けた場合、項目選択位置が所望の項目を通過してしまうと、項目選択位置が所望の項目の位置となるまで、繰り返し操作ボタンを操作する必要が生じてしまう。したがって、項目選択位置を逆方向に移動させる操作ボタンをさらに設けることで項目の選択が容易となる。この場合、制御部１５は、操作入力部１３で項目切替操作が行われたと判別した場合，例えば第１の項目切替ボタンが操作されたときは所定の選択方向に項目選択位置を移動する。また、制御部１５は、第２の項目切替ボタンが操作された場合は項目選択位置を第１の項目切替ボタンの操作時とは逆方向に移動させる。
【００４０】
また、項目切替ボタンは、項目選択画面に対して項目選択位置の移動方向に関係付けて設けることで、項目切替ボタンを操作したときの項目選択位置の移動方向を容易に判別できるようになる。図４は、項目切替ボタンと表示部との位置関係を例示している。例えば、図４の（ａ）に示すように、項目切替ボタン１３１が操作されたとき項目の位置を矢印ＦＡに順次切り替える場合、表示部１２の中央位置ＣＰに対して矢印ＦＡに移動した位置に項目切替ボタン１３１を設ける。また、所定の選択方向だけでなく逆方向に項目の位置を切替可能とする場合、項目の位置を矢印ＦＢに順次切り替える項目切替ボタン１３２を表示部１２の中央位置ＣＰに対して矢印ＦＢに移動した位置に設ける。例えば、図４の（ｂ）に示すように、項目選択位置を矢印ＦＢに移動させる場合、項目切替ボタン１３２を、表示部１２の中央位置ＣＰに対して矢印ＦＢに移動した位置に設ける。このように項目切替ボタンを設ければ、表示部１２に対する項目切替ボタンの位置から、この項目切替ボタンを操作したときの項目選択位置の移動方向を容易に判別できるようになる。
【００４１】
さらに、情報処理装置では、項目を１画面に二次元配置するだけでなく、選択可能な項目が所定数よりも多い場合には、項目を複数の項目選択画面に振り分けて表示するようにしてもよい。また、情報処理装置は、選択可能な項目を階層化して、選択した項目が指定されたとき、指定された項目に関係した新たな項目選択画面を表示するようにしてもよい。
【００４２】
＜２．適用例＞
次に、本技術の情報処理装置の適用例として、本技術の情報処理装置を撮像装置とリモートコントロール装置（以下「リモコン装置」という）に適用した場合について説明する。図５は、撮像装置と撮像装置を遠隔操作するリモコン装置を用いた撮像システムを例示している。
【００４３】
昨今の撮像装置は小型化軽量化が進み、図５に示すように、例えばユーザ（撮影者）の頭部等に装着しても、さほど重さを感じることなく撮像ができる。しかし、図５に示すように、撮像装置３０を、ユーザの頭部に装着すると、撮像装置３０に設けられた操作入力部を操作することが困難となる。また、撮像装置３０に設けられている表示部の表示画像を見ることができないことから、どのような撮像画が得られているか確認できない。したがって、撮像システム２０では、撮像装置３０の操作や撮像画の確認等をリモコン装置５０で行えるように構成されている。撮像装置３０の外側面には表示部４２と操作ボタン４３１〜４３４が設けられており、リモコン装置５０の表面側には表示部６２と操作ボタン６３１〜６３４が設けられている。
【００４４】
図６は、撮像装置とリモコン装置間の通信例を示している。撮像装置３０とリモコン装置５０は、それぞれ通信部を有し、これら双方の通信部を介して、ワイファイ（Wi-Fi）通信やブルートゥース（Bluetooth（登録商標））通信が実行される。
【００４５】
Ｗｉ−Ｆｉの通信規格としては、ＩＥＥＥ８０２．１１ａ／ｂ／ｇ／ｎ等の複数の規格がある。Ｗｉ−Ｆｉ通信では２．４ＧＨｚや５ＧＨｚの帯域を用いて通信することが可能であり、利用帯域が広く、また通信速度が比較的早く、通信可能距離も比較的大きい（１００ｍ程度）という特徴があり、大容量のデータを安定して通信できる。
【００４６】
ブルートゥース通信は、利用可能な帯域が２．４ＧＨｚの一種類であり、通信速度はＷｉ−Ｆｉより遅く、また通信可能距離もＷｉ−Ｆｉに比較して短い（１０ｍ程度）。しかし、Ｗｉ−Ｆｉ通信に比較して消費電力が少ないというメリットがある。なお、ブルートゥース通信にも複数の規格があり、従来のブルートゥース通信より、消費電力を低減させたＢＴＬＥ（Bluetooth（登録商標） Low Energy）規格がある。なお、「ＢＴＬＥ」は、「ＢＬＥ」と表記する場合もある。本明細書に示す「ブルートゥース通信」には、従来型のブルートゥース通信のみならず、ＢＴＬＥ（Bluetooth（登録商標） Low Energy）規格に従ったブルートゥース通信も含む。
【００４７】
図７は、撮像装置とリモコン装置の構成を例示している。撮像装置３０は、撮像部３１、画像信号処理部３２、記録再生部３３、出力部３４、計時部３５、通信部３６、表示部４２、操作入力部４３、制御部４５、記憶部４６を有している。なお、表示部４２と操作入力部４３および制御部４５は、図１に示す情報処理装置１０の表示部１２と操作入力部１３および制御部１５に相当する。
【００４８】
撮像部３１は、ＣＭＯＳ（Complementary Metal Oxide Semiconductor）撮像素子やＣＣＤ（Charge Coupled Device）撮像素子等を用いて構成されている。撮像部３１は、制御部４５の制御下で動画や静止画の画像信号を生成する。画像信号処理部３２は、撮像部３１で生成された画像信号を用いて現像処理等を行う。
【００４９】
記録再生部３３には、記録媒体が固定状態または着脱可能に設けられている。記録再生部３３は、撮像部３１で生成された画像信号、または画像信号処理部３２で画像処理が行われたあとの画像信号を記録媒体に記録する。さらに、記録再生部３３は、記録媒体に記録されている画像信号を再生する。また、記録再生部３３にコーデック機能を設けて、画像信号を符号化して記録媒体に記録する処理や、記録媒体に記録されている符号化データの復号化を行い、画像信号を再生する処理を行うようにしてもよい。
【００５０】
出力部３４は、画像信号を外部機器に出力する処理を行う。計時部３５は、例えば、現在時刻を示す時計機能、所望のタイミング（例えば撮像開始のタイミング等）からの経過時間を計測する時間計測機能等を有している。
【００５１】
通信部３６は、リモコン装置５０との通信を行う。通信部３６は、Ｗｉ−Ｆｉ、ブルートゥース等の無線通信規格に従った通信を行う機能を有している。また、通信部３６は、リモコン装置５０だけでなく他の外部機器と通信を行うことができる構成としてもよい。
【００５２】
表示部４２は、液晶表示素子または有機ＥＬ表示素子等を用いて構成されている。表示部４２は、撮像部３１で取得された撮像画の表示や撮像装置３０の動作に関する設定画面等を表示する。
【００５３】
操作入力部４３は、図５に示す操作ボタン４３１〜４３４等で構成されており、ユーザ操作に応じて操作信号を生成して制御部４５へ出力する。操作ボタン４３１は通常画面と他画面とで画面切替を行うための操作ボタン（以下「ＭＥＮＵボタン」という）である。制御部４５は、ＭＥＮＵボタン４３１が操作される毎に、通常画面と例えば撮像装置３０の機能や動作等の選択や設定を行う画面（以下「項目選択画面」という）の画面切替を行う。操作ボタン４３２は、項目選択画面が表示されている場合、項目選択画面で表示されている項目から選択されている項目を指定するための指定ボタン（以下「ＥＮＴＥＲボタン」という）である。制御部４５は、指定ボタン４３２が操作されると、選択されている項目に割り当てられている機能の設定や割り当てられている動作等を行う。操作ボタン４３３，４３４は選択する項目の切り替えを行うための項目切替ボタンである。制御部４５は、項目切替ボタン４３３が操作される毎に項目を所定の選択方向に順次選択して、項目切替ボタン４３４が操作される毎に項目切替ボタン４３３の操作時とは逆方向に項目を順次選択する。例えば制御部４５は、項目切替ボタン４３３（以下「ＤＯＷＮボタン」という）が操作される毎に項目を下方向に順次選択して、項目切替ボタン４３４（以下「ＵＰボタン」という）が操作される毎に項目を上方向に順次選択する。
【００５４】
制御部４５は、記憶部４６に記憶されているプログラムを実行して、操作入力部４３からの操作信号に基づき、ユーザ操作に応じた動作が撮像装置３０で行われるように各部を制御する。また、制御部４５は、操作信号に基づき、表示画面の切替や表示した項目選択画面において選択する項目の切替等の制御、選択されている項目に割り当てられている機能の設定や割り当てられている動作等の制御を行う。
【００５５】
記憶部４６は、ＲＯＭ(Read Only Memory)やＲＡＭ(Random Access Memory)等によって構成される。記憶部４６は、制御部４５で実行するアプリケーションプログラム等を記憶する。また、記憶部４６は、制御部４５で実行するデータ処理に適用するパラメータ等の記憶領域やワーク領域としても利用される。
【００５６】
リモコン装置５０は、計時部５５、通信部５６、表示部６２、操作入力部６３、制御部６５、記憶部６６を有している。なお、表示部６２と操作入力部６３および制御部６５は、図１に示す情報処理装置１０の表示部１２と操作入力部１３および制御部１５に相当する。
【００５７】
計時部５５は、例えば、現在時刻を示す時計機能、所望のタイミング（例えば撮像開始のタイミング等）からの経過時間を計測する時間計測機能等を有している。
【００５８】
通信部５６は、撮像装置３０との通信を行う。通信部５６は、Ｗｉ−Ｆｉ、ブルートゥース等の無線通信規格に従った通信を行う機能を有している。
【００５９】
表示部６２は、液晶表示素子または有機ＥＬ表示素子等を用いて構成されている。表示部６２は、撮像装置３０で取得された撮像画の表示や撮像装置３０の動作に関する設定画面等を表示する。
【００６０】
操作入力部６３は、図５に示す操作ボタン６３１〜６３４等で構成されており、ユーザ操作に応じて操作信号を生成して制御部６５へ出力する。操作ボタン６３１は撮像装置３０の操作ボタン４３１と同様な機能が設定されている。また、操作ボタン６３２〜６３４は撮像装置３０の操作ボタン４３２〜４３４と同様な機能が設定されている。
【００６１】
制御部６５は、記憶部６６に記憶されているプログラムを実行して、操作入力部６３からの操作信号に基づき、ユーザ操作に応じた動作が撮像装置３０で行われるように通信部５６を介して撮像装置３０を制御する。また、制御部６５は、操作入力部６３からの操作信号に基づき表示部６２の表示制御を撮像装置３０と同様に行う。なお、制御部６５は、操作入力部６３からの操作信号を撮像装置３０に送信して、ユーザ操作に応じた表示部６２の表示制御は撮像装置３０から行うようにしてもよい。
【００６２】
記憶部６６は、ＲＯＭ(Read Only Memory)やＲＡＭ(Random Access Memory)等によって構成される。記憶部６６は、制御部６５で実行するアプリケーションプログラム等を記憶する。また、記憶部６６は、制御部６５で実行する処理に適用するパラメータ等の記憶領域やワーク領域としても利用される。
【００６３】
このように構成された撮像システム２０では、撮像装置３０に設けられた操作入力部４３だけでなく、リモコン装置５０の操作入力部６３を操作して、撮像装置３０の動作制御や動作の切り替え、各種設定等が行われる。また、撮像装置３０の動作状態や設定状態等を示す画像、および撮像装置３０で生成された撮像画は、撮像装置３０の表示部４２だけでなく、リモコン装置５０の表示部６２の画面上に表示される。
【００６４】
また、撮像装置の操作や設定等を容易に行うことができるように、撮像装置３０とリモコン装置５０では、表示部４２，６２で等しい項目選択画面が表示される。このように等しい項目選択画面が表示部４２，６２で表示されるため、操作入力部４３で項目選択動作を行う場合と操作入力部６３で項目選択動作を行う場合とで操作が等しくなり、操作性を向上できる。
【００６５】
次に、撮像装置の動作について説明する。撮像装置３０の表示部４２およびリモコン装置５０の表示部６２は、選択可能な項目を示す項目選択画面等を表示する。なお、以下の説明では表示制御等を制御部４５で行うとする。
【００６６】
制御部４５は、選択可能な項目が第１の所定数より多い場合は、項目を二次元配置として表示（以下「二次元表示」という）する。また、制御部４５は、選択可能な項目が第１の所定数以下である場合は、項目を所定方向に並べて表示（以下「リスト表示」という）。このように、選択可能な項目が第１の所定数より多い場合に項目の二次元表示を行うことで、ユーザは選択可能な項目を容易に把握できるようになる。また、二次元表示する項目が多くなると、１つの項目に割り当て可能な表示領域は小さくなる。このため、例えば項目の内容を識別可能とするアイコン等を表示したとき、ユーザはアイコン等の判別が困難となる。したがって、制御部４５は、１画面で表示する項目の最大数（第１の所定数よりも大きい値）である第２の所定数よりも項目が多い場合には複数画面で二次元表示を行い、項目が第２の所定数以下である場合には１画面で二次元表示を行う。また、項目を二次元表示する場合、１つの項目に割り当てられる表示領域が小さいと、ユーザに提示できる表示情報量は少なくなる。したがって、制御部４５は、項目の表示情報量が閾値以上である場合、項目をリスト表示した項目選択画面を表示部４２で表示させる。
【００６７】
図８は、項目選択動作を例示している。なお、図８では、選択可能な項目が３層の階層構造とされており、第１階層では項目を１画面で二次元表示、第２階層では項目を複数画面で二次元表示、第３階層では項目をリスト表示する場合を例示している。
【００６８】
制御部４５は、図８の（ａ）に示す通常画面の表示状態でＭＥＮＵボタン４３１（６３１）が操作されたことを判別したとき、図８の（ｂ）に示す第１階層の項目選択画面に切り替える。また、制御部４５は、第１階層の項目選択画面の表示状態でＭＥＮＵボタン４３１（６３１）が操作されたことを判別したとき、通常画面の表示に切り替える。
【００６９】
通常画面の画面上部には、左から順に通信機能が有効とされている状態であることを示すアイコン、測位中で位置情報を記録できる状態であることを示すアイコン、手振れ補正機能が有効とされている状態であることを示すアイコン、音声を記録しない状態であることを示すアイコン、バッテリ残量を示すアイコンが設けられている。また、画面中央には、「ＸＡＶＣ Ｓ」の動画記録フォーマットに設定されていることを示すアイコン、「４Ｋ」の解像度に設定されていることを示すアイコン、およびタイムコード表示（図では００：００：００）が設けられている。さらに、通常画面の画面下部には、動画撮像モードであることを示すアイコンが設けられている。
【００７０】
第１階層の項目選択画面では、選択可能な４つの項目が１画面で二次元表示されている。制御部４５は、項目選択画面における項目選択位置の初期位置を例えば左上隅の項目として、この項目の位置から、ＤＯＷＮボタン４３３（６３３）またはＵＰボタン４３４（６３４）の操作に応じて項目選択位置を移動させる。なお、図８および後述する図９，１０では、項目選択位置を破線の枠で示している。
【００７１】
図９は、第１階層の項目選択画面における項目選択動作を示している。第１階層の項目選択画面では、図９の（ａ）に示すように、左上には撮像モードの切替であることを示すアイコン、左下には動画設定であることを示すアイコンが設けられている。また、右上には再生モードの切替であることを示すアイコン、右下には環境設定であることを示すアイコンが設けられている。
【００７２】
第１階層の項目選択画面の表示時において、制御部４５は、ＤＯＷＮボタン４３３（６３３）が操作されたことを判別する毎に、図９の（ｂ）の矢印で示す順序に項目選択位置を移動させる。また、制御部４５は、ＵＰボタン４３４（６３４）が操作されたことを判別する毎に、図９の（ｃ）の矢印で示す順序に項目選択位置を移動させる。
【００７３】
また、制御部４５は、指定操作すなわちＥＮＴＥＲボタン４３２（６３２）が操作されたことを判別したとき、項目選択位置で示された項目についての処理を実行する。例えば、図８に示すように、項目選択位置が動画設定であることを示すアイコンの位置でＥＮＴＥＲボタン４３２（６３２）が操作されたことを判別した場合、制御部４５は動画設定に関する項目を第２階層の項目として表示する。
【００７４】
図８では、動画設定に関する項目が第２の所定数よりも多く、第２階層では複数画面で項目の二次元表示を行う場合を例示している。なお、項目が二次元配置された１画面をページとして、以下の説明では、複数の項目選択画面の切替をページ切替という。制御部４５は、複数ページで二次元表示を行う場合、ページ切替機能を割り当てた表示を設ける。
【００７５】
動画設定の項目選択画面では、各ページが例えば図８の（ｃ）（ｄ）に示すように、３項目×３項目の二次元表示とされている。また、画面上部には、ページ切替機能を割り当てたタブ表示が設けられている。なお、タブ表示では何ページ目の項目選択画面であるかを示す表示を設けている。例えば動画設定の項目選択画面が２ページで構成される場合、最初のページのタブ表示では「ＭＥＮＵ  １／２」の表示、２ページ目のタブ表示では「ＭＥＮＵ  ２／２」の表示が設けられている。
【００７６】
動画設定の項目選択画面の１ページ目では、図８の（ｃ）に示すように、左上端から下方向に、動画記録フォーマットの設定に関する項目、撮像シーンの設定に関する項目、ホワイトバランスに関する項目が設けられている。また、中央上端から下方向に、動画記録フォーマットにおける画像サイズやビットレート等に関する項目、カラー設定に関する項目、音声記録に関する項目が設けられている。さらに、右上端から下方向に、連続撮影に関する項目  セルフタイマーに関する項目、露出補正に関する項目が設けられている。
【００７７】
動画設定の項目選択画面の２ページ目では、図８の（ｄ）に示すように、左上端から下方向に、画角に関する項目が設けられている。また、中央上端から下方向に、位置情報の記録に関する項目と機器設定に関する項目が設けられている。さらに、右上端から下方向に、画像の上下反転に関する項目  項目選択画面を上位階層に移動する項目等が設けられている。なお、各項目では現在の設定状態等を示すアイコンが表示されている。
【００７８】
第２階層の項目選択画面の表示時において、制御部４５は、ＤＯＷＮボタン４３３（６３３）の操作に応じて、図３の（ｆ）や図９の（ｂ）の矢印で示す順序で項目選択位置を移動させる。また、制御部４５は、ＵＰボタン４３４（６３４）の操作に応じて、逆方向の順序で項目選択位置を移動させる。
【００７９】
図１０は、動画設定の項目選択画面のページ切替動作を説明するための図である。制御部４５は、例えば図１０の（ａ）に示すように項目選択位置がタブ表示の位置であるときにＥＮＴＥＲボタン４３２（６３２）が操作されたこと判別すると、ページ切替を行い、項目選択画面を図１０の（ｂ）に示す２ページ目に切り換える。また、制御部４５は、例えば図１０の（ｂ）に示すように項目選択位置がタブ表示の位置であるとき、ＥＮＴＥＲボタン４３２（６３２）が操作されたこと判別すると、ページ切替を行い、項目選択画面を図１０の（ａ）に示す１ページ目に切り換える。
【００８０】
また、図１１は、動画設定の項目選択画面の他のページ切替動作を説明するための図である。制御部４５は、選択方向に並んで配置されている項目に対して選択方向所定側に隣接する隣接項目がなく、選択方向の端部側項目を選択しているとき、その後の項目切替操作に応じて項目選択画面の切り替えを行う。例えば、制御部４５は、図１１の（ａ）に示すように、選択方向に並んで配置されている項目に対して選択方向所定側に隣接する隣接項目がなく、選択方向の端部側項目を選択しているとき、すなわち項目選択位置が右端下側端部位置であるとき、ＤＯＷＮボタン４３３（６３３）が操作されたこと判別すると、ページ切替を行う。制御部４５は、項目選択画面の切り替え後の項目選択位置を見出し表示の位置とする。例えば制御部４５は、項目選択画面を図１１の（ｂ）に示す２ページ目に切り換えて、項目選択位置をタブ表示の位置とする。また、制御部４５は、図１１の（ｂ）に示すように、項目選択位置がタブ表示の位置であるときにＵＰボタン４３４（６３４）が操作されたこと判別するとページ切替を行う。さらに、制御部４５は、項目選択位置が見出し表示の位置で項目切替操作が行われたとき、項目選択位置を切替後の項目選択画面における予め設定した項目位置とする。例えば、制御部４５は、項目選択画面を例えば図１１の（ａ）に示す１ページ目に切り換えて、項目選択位置を右端下側端部の位置とする。また、制御部４５は、図１１の（ｂ）に示すように、項目選択位置がタブ表示の位置であるときにＵＰボタン４３４（６３４）が操作されたこと判別するとページ切替を行う。制御部４５は、項目選択画面を例えば図１１の（ａ）に示す１ページ目に切り換えて、項目選択位置を右端下側端部の位置とする。
【００８１】
図８の（ｃ）に戻り、制御部４５は、項目選択位置が動画記録フォーマットの設定に関する項目であることを示すアイコンの位置でＥＮＴＥＲボタン４３２（６３２）が操作されたことを判別した場合、動画記録フォーマットの設定に関する項目選択画面を第３階層の項目選択画面として表示する。
【００８２】
また、制御部４５は、図８の（ｄ）に示すように、項目選択位置が上位の階層に戻る機能であることを示すアイコンの位置でＥＮＴＥＲボタン４３２（６３２）が操作されたことを判別した場合、第２階層から第１階層の項目選択画面に切り換える。
【００８３】
図８の（ｅ）は、動画記録フォーマットの設定に関する項目選択画面設定を例示している。動画記録フォーマットの設定に関する項目選択画面設定では、例えば項目毎に多くの情報を表示できるようにリスト表示を用いている。
【００８４】
動画記録フォーマットの設定に関する項目選択画面設定では、上端から下方向に、項目選択画面を上位階層に移動する項目、動画記録フォーマットをＭＰＥＧ−４のフォーマットに設定する項目、撮影モードを静止画モードに設定する項目、画像サイズが４Ｋでフレームレートが３０Ｈｚのプログレッシブ方式に設定する項目等の表示が設けられている。
【００８５】
項目選択画面を上位階層に移動する項目を除く他の項目にはラジオボタン表示が設けられている。制御部４５は、項目の指定操作が行われると、指定された項目のラジオボタン表示を他の項目のラジオボタンと異なる表示に切り換える。例えば動画記録フォーマットとしてＭＰＥＧ−４のフォーマットが指定されたとき、制御部４５は、図８の（ｅ）に示すように、ＭＰＥＧ−４のフォーマットに設定する項目のラジオボタンを黒丸表示とする。また、制御部４５は、リスト表示において１画面で表示可能な項目を予め所定表示数に制限して、選択可能な項目が所定表示数を超えた場合は、例えばスクロールバー表示を設けて、画面上に表示されている項目がリストのいずれの位置であるか識別可能とする。
【００８６】
図１２は、項目選択動作のフローチャート例である。ステップＳＴ１１で制御部４５は、項目表示処理を行う。制御部４５は、選択可能な項目を一覧とした項目選択画面を表示する。制御部４５は、選択可能な項目が第１の所定数より多い場合は、項目を二次元表示とする。また、制御部４５は、選択可能な項目が第１の所定数以下である場合は、項目をリスト表示とする。また、制御部４５は、第２の所定数よりも項目が多い場合には複数画面で二次元表示を行い、項目が第２の所定数以下である場合には１画面で二次元表示を行う。さらに、制御部４５は、項目毎に多くの情報を表示する場合にリスト表示を用いる。
【００８７】
図１３は、項目表示処理のフローチャート例である。ステップＳＴ３１で制御部４５は、表示情報量が閾値以上であるか判別する。制御部４５は、項目毎の表示情報量が閾値よりも小さい場合はステップＳＴ３２に進み、閾値以上である場合はステップＳＴ３５に進む。なお、表示情報量としては情報の表示に必要な表示領域サイズを用いてもよい。
【００８８】
ステップＳＴ３２で制御部４５は、項目が第１の所定数よりも多いか判別する。制御部４５は項目の数が第１の所定数よりも多い場合はステップＳＴ３３に進み、第１の所定数以下である場合はステップＳＴ３５に進む。
【００８９】
ステップＳＴ３３で制御部４５は、項目が第２の所定数以下であるか判別する。制御部４５は項目の数が第２の所定数以下である場合はステップＳＴ３６に進み、第２の所定数よりも多い場合はステップＳＴ３７に進む。
【００９０】
ステップＳＴ３５で制御部４５は、リスト表示を行う。制御部４５は、項目を所定の選択方向に並べて、項目毎の情報を表示できるように表示領域を確保したリスト表示の項目選択画面を表示させる。
【００９１】
ステップＳＴ３６で制御部４５は、１画面で二次元表示を行う。制御部４５は、項目を１画面内に二次元配置した項目選択画面を表示させる。
【００９２】
ステップＳＴ３７で制御部４５は、複数画面で二次元表示を行う。制御部４５は、１画面内に二次元配置する項目の数を制限して、複数画面で全ての項目を表示できる項目選択画面を表示させる。
【００９３】
図１２に戻り、ステップＳＴ１２で制御部４５は、表示画面が二次元表示であるか判別する。制御部４５は、表示画面が二次元表示であると判別した場合にステップＳＴ１３に進み、リスト表示であると判別した場合にはステップＳＴ２３に進む。
【００９４】
ステップＳＴ１３で制御部４５は、ページ切替を行うか判別する。制御部４５は、項目選択位置がページ切替機能を割り当てた項目位置の状態でＥＮＴＥＲボタンが操作された場合にページ切替操作が行われたとする。制御部４５は、ページ切替操作が行われたと判別した場合にステップＳＴ１４に進み、ページ切替操作が行われたと判別していない場合にステップＳＴ１５に進む。
【００９５】
ステップＳＴ１４で制御部４５は、ページ切替を行う。制御部４５は、新たな項目選択画面を表示してステップＳＴ１５に進む。また、制御部４５は、ページ切替を生じるユーザ操作に応じてページ切替方向を設定する。例えばステップＳＴ１３で指定操作が行われたことによりページ切替を行う場合、最初のページから最後のページの方向（以下「順方向」という）にページ切替を行う。また、後述するようにＤＯＷＮボタンの操作に応じてページ切替を行う場合には順方向、ＵＰボタンの操作に応じてページ切替を行う場合には順方向に対して逆方向にページ切替を行う。
【００９６】
ステップＳＴ１５で制御部４５は、項目切替操作が行われたか判別する。制御部４５は、ＤＯＷＮボタンとＵＰボタンのいずれかが操作されたか判別して、いずれかのボタンが操作されたと判別した場合にはステップＳＴ１６に進み、いずれのボタンも操作されていない判別した場合にはステップＳＴ２４に進む。
【００９７】
ステップＳＴ１６で制御部４５は、移動方向を設定する。制御部４５は、操作されたボタンに応じて項目選択位置の移動方向（項目の選択方向）の設定を行い、例えばＤＯＷＮボタンが操作された場合には移動方向を下向き方向、ＵＰボタンが操作された場合には移動方向を上向き方向に設定してステップＳＴ１７に進む。
【００９８】
ステップＳＴ１７で制御部４５は、現在位置が移動方向の端部側項目でないか判別する。制御部４５は現在位置が移動方向の端部側項目でない場合にステップＳＴ１８に進み、現在位置が移動方向の端部側項目である場合にステップＳＴ１９に進む。
【００９９】
ステップＳＴ１８で制御部４５は、項目選択位置を移動方向に隣接する項目の位置へ移動してステップＳＴ２６に進む。
【０１００】
ステップＳＴ１９で制御部４５は、選択方向所定側の隣接項目があるか判別する。制御部４５は選択方向に並んで配置されている項目に対して選択方向所定側に隣接する隣接項目がある場合はステップＳＴ２０に進み、隣接項目がない場合はステップＳＴ２１に進む。
【０１０１】
ステップＳＴ２０で制御部４５は、項目選択位置を隣接項目における逆方向側の端部側項目に移動する。制御部４５は、項目選択位置を移動方向の端部側項目の位置まで移動していることから、選択方向所定側の隣接項目の逆方向側の端部側項目に項目選択位置を移動して、隣接項目を選択方向に順次選択できるようにしてステップＳＴ２６に進む。
【０１０２】
ステップＳＴ１９からステップＳＴ２１に進むと、制御部４５は１画面での二次元表示であるか判別する。制御部４５はステップＳＴ１１の項目表示処理において１画面での二次元表示としたる場合にステップＳＴ２２に進む。また、制御部４５は、複数画面での二次元表示とした場合にステップＳＴ１４に戻り、ページ切替を行って新たな項目の二次元表示を行う。
【０１０３】
ステップＳＴ２２で制御部は、項目選択位置を項目選択画面における対角位置の項目に移動してステップＳＴ２６に進む。
【０１０４】
ステップＳＴ１２からステップＳＴ２３に進むと、制御部４５は項目切替操作に応じて項目選択位置を移動する。制御部４５は、例えばＤＯＷＮボタンが操作された場合に項目選択位置を下方向に隣接する項目の位置に移動させて、ＵＰボタンが操作された場合に項目選択位置を上方向に隣接する項目の位置に移動させる。制御部４５は、項目切替操作に応じて項目選択位置を移動してステップＳＴ２４に進む。
【０１０５】
ステップＳＴ２３またはステップＳＴ１５からステップＳＴ２４に進むと、制御部４５は指定操作が行われたか判別する。制御部４５は例えばＥＮＴＥＲボタンが操作された場合には指定操作が行われたと判別してステップＳＴ２５に進み、ＥＮＴＥＲボタンが操作されていない場合には指定操作が行われていないと判別してステップＳＴ２６に進む。
【０１０６】
ステップＳＴ２５で制御部４５は指定項目の処理を行う。制御部４５は項目選択位置の項目を指定項目として、指定項目に割り当てられた機能や動作を撮像装置３０で行うように設定する。また、選択可能な項目が階層構造とされており、項目選択位置の項目に対する下位層に複数の項目が設けられている場合、下位層の複数の項目に対して図１２に示すフローチャートと同様な処理を行い、ユーザ操作に応じて項目の選択を行う。なお、項目が階層構造とされている場合、下位層から上位層に戻り項目を設けて、上位層の新たな項目を選択できるようにする。制御部４５は指定項目を実行してステップＳＴ２６に進む。
【０１０７】
ステップＳＴ２６で制御部４５は項目選択動作終了であるか判別する。制御部４５は、例えばＭＥＮＵボタンが操作された場合に項目選択動作終了であると判別して、項目選択画面から通常画面に表示切り替えを行う。また、制御部４５は、ＭＥＮＵボタンが操作されていない場合に項目選択動作の終了でないと判別してステップＳＴ１２に戻る。
【０１０８】
このような処理を制御部４５で行えば、図８乃至図１０に示す項目選択動作を行うことができる。なお、図１２に示すフローチャートは一例であって、図８乃至図１０に示す項目選択動作は、図１２に示すフローチャートの処理に限られない。
【０１０９】
また、上述の項目選択動作は、制御部４５に限らずリモコン装置６０の制御部６５で行い、ユーザによって選択された機能やユーザによる設定状態を撮像装置３０に通知して、ユーザ操作に応じた動作が撮像装置３０で行われるようにしてもよい。なお、適用例で示した項目は例示であって、上述した項目が含まれていなくてもよく、新たな項目を含めてもよい。
【０１１０】
このように撮像システムを構成すれば、項目選択位置を例えば上下左右に移動させるために操作ボタンを方向毎に設けなくとも、項目選択位置を所定の選択方向に移動させる操作ボタンを設けて、この操作ボタンをユーザが操作するだけで所望の項目を選択できるようになる。したがって、撮像装置およびリモコン装置を小型化できる。また、撮像装置およびリモコン装置の表示部に表示された項目選択画面では、選択可能な項目が二次元配置されていることから、どのような項目の選択が可能であるか容易に把握できるようになる。したがって、撮像装置における所望の項目の設定等を効率よく容易に行える。
【０１１１】
＜３．他の形態について＞
上述の適用例では、撮像装置とリモコン装置で構成された撮像システムに情報処理装置を適用した場合を例示したが、情報処理装置は他の電子機器にも適用できる。例えば機器の小型化が必要で、選択可能な項目が多く、さらに手袋等を必要とする使用環境のためタッチパネル操作が困難な制御機器や計測機器等に適用すれば、所望の項目の設定等を効率よく容易に行える。
【０１１２】
また、上述の形態では、項目切替ボタンが操作されたとき項目選択位置を所定の選択方向または逆方向に移動する場合を例示したが、項目切替ボタンの操作継続時間に応じて項目選択動作を異なる動作に切り替えてもよい。例えば、操作継続時間が予め設定された閾値以下である場合は項目選択位置を所定の選択方向または逆方向に移動して、閾値よりも長い場合はページ切替または所定の選択方向に対して選択方向所定側の隣接項目の方向に項目選択位置を移動してもよい。また、閾値よりも長い場合は操作が終了するまで、所定方向または逆方向に項目選択位置を連続して移動させてもよい。このようにすれば、項目選択位置を効率よく所望の位置に移動させることが可能となる。
【０１１３】
さらに、上述の形態では、第１の方向および第１の方向と直交する第２の方向に二次元配置されている項目を第１の方向に順次選択して、第１の方向の端部側項目を選択したのち、第２の方向側に隣接する隣接項目を、第１の方向の端部側とは逆方向側の端部側項目から第１の方向に順次選択する場合を例示している。しかし、二次元配置において、第２の方向は第１の方向と直交する方向でなくともよい。
【０１１４】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させる。または、各種処理が実行可能な汎用コンピュータにプログラムをインストールして実行させることが可能である。
【０１１５】
例えば、プログラムは記録媒体としてのハードディスクやＳＳＤ（Solid State Drive）、ＲＯＭ（Read Only Memory）に予め記録しておくことができる。あるいは、プログラムはフレキシブルディスク、ＣＤ−ＲＯＭ（Compact Disc Read Only Memory），ＭＯ（Magneto optical）ディスク，ＤＶＤ（Digital Versatile Disc）、ＢＤ（Blu-Ray Disc（登録商標））、磁気ディスク、半導体メモリカード等のリムーバブル記録媒体に、一時的または永続的に格納（記録）しておくことができる。このようなリムーバブル記録媒体は、いわゆるパッケージソフトウェアとして提供することができる。
【０１１６】
また、プログラムは、リムーバブル記録媒体からコンピュータにインストールする他、ダウンロードサイトからＬＡＮ（Local Area Network）やインターネット等のネットワークを介して、コンピュータに無線または有線で転送してもよい。コンピュータでは、そのようにして転送されてくるプログラムを受信し、内蔵するハードディスク等の記録媒体にインストールすることができる。
【０１１７】
なお、本明細書に記載した効果はあくまで例示であって限定されるものではなく、記載されていない付加的な効果があってもよい。また、本技術は、上述の実施の形態に限定して解釈されるべきではない。この技術の実施の形態は、例示という形態で本技術を開示しており、本技術の要旨を逸脱しない範囲で当業者が実施の形態の修正や代用をなし得ることは自明である。すなわち、本技術の要旨を判断するためには、特許請求の範囲を参酌すべきである。
【０１１８】
また、本技術の情報処理装置は以下のような構成も取ることができる。
（１）  操作入力部で項目切替操作を受け付ける毎に、項目選択画面において二次元配置されている項目を所定の選択方向に順次選択して、前記選択方向の端部側項目を選択したのち、前記選択方向所定側に隣接する隣接項目を、前記選択方向とは逆方向側の端部側項目から前記選択方向に順次選択する制御部を備える情報処理装置。
（２）  前記制御部は、前記選択方向に並んで配置されている項目に対して選択方向所定側に隣接する隣接項目がない場合、前記選択方向の端部側項目を選択したのち、前記項目選択画面における対角側の項目を選択する（１）に記載の情報処理装置。
（３）  前記制御部は、前記項目が所定数よりも多い場合に前記項目を複数の項目選択画面に振り分けて表示し、前記選択方向に並んで配置されている項目に対して選択方向所定側に隣接する隣接項目がなく、前記選択方向の端部側項目を選択しているとき、その後の項目切替操作に応じて前記項目選択画面の切り替えを行う（１）または（２）に記載の情報処理装置。
（４）  前記制御部は、項目選択画面毎に当該項目選択画面を選択表示するための見出し表示を設け、前記項目選択画面の切り替え後の項目選択位置を前記見出し表示の位置とする（３）に記載の情報処理装置。
（５）  前記制御部は、前記項目選択位置が前記見出し表示とされた状態で指定操作が行われたとき、前記項目選択画面の切り替えを行う（４）に記載の情報処理装置。
（６）  前記制御部は、前記項目選択位置が前記見出し表示の位置で前記項目切替操作が行われたとき、前記項目選択位置を前記項目選択画面における予め設定した項目位置とする（４）に記載の情報処理装置。
（７）  前記項目は階層構造であり、
前記制御部は、指定操作が行われたとき、項目選択位置の項目が最下層の項目でない場合に階層切り替えを行い、項目選択位置の項目に関する項目選択画面を表示させる（１）乃至（６）のいずれかに記載の情報処理装置。
（８）  前記制御部は、前記階層切替後の項目選択画面に、階層切替前の項目選択画面に戻る機能を割り当てた項目を含める（７）に記載の情報処理装置。
（９）  前記制御部は、前記項目の表示情報量が閾値以上である場合、前記項目をリスト表示した項目選択画面を表示させる（１）乃至（８）のいずれかに記載の情報処理装置。
（１０）  前記操作入力部は、前記項目切替操作を受け付ける項目切替操作部を有し、
前記項目切替操作部は、項目選択画面を表示する表示部に対して前記表示部の中心よりも前記所定の選択方向に移動した位置に配置した（１）乃至（９）のいずれかに記載の情報処理装置。
（１１）  前記操作入力部は、第１の項目切替操作部と第２の項目切替操作部とを備え、
前記第１の項目切替操作部は前記表示部の中心よりも前記所定の選択方向に移動した位置、前記第２の項目切替操作部は前記表示部の中心よりも前記所定の選択方向とは逆方向に移動した位置にそれぞれ配置して、
前記制御部は、前記第１の項目切替操作部でユーザ操作が行われる毎に前記所定の選択方向に並んで配置されている項目を前記所定の選択方向に順次選択して、前記第２の項目切替操作部でユーザ操作が行われる毎に前記第１の項目切替操作部の操作時とは逆方向に前記項目を順次選択する（１０）に記載の情報処理装置。
（１２）  前記制御部は、前記項目選択画面において第１の方向および前記第１の方向と直交する第２の方向に二次元配置されている項目を第１の方向に順次選択して、前記第１の方向の端部側項目を選択したのち、前記第２の方向側に隣接する隣接項目を、前記第１の方向の端部側とは逆方向側の端部側項目から前記第１の方向に順次選択する（１）乃至（１１）のいずれかに記載の情報処理装置。
【産業上の利用可能性】
【０１１９】
この技術の情報処理装置と情報処理方法およびプログラムでは、操作入力部で項目切替操作を受け付ける毎に、項目選択画面において二次元配置されている項目が所定の選択方向に順次選択される。さらに、選択方向の端部側項目が選択されたのち、選択方向所定側に隣接する隣接項目が選択方向とは逆方向側の端部側項目から選択方向に順次選択される。このため、項目切替操作を繰り返すだけで、二次元表示された複数項目から所望の項目を容易に選択することが可能となる。したがって、タッチパネル操作が困難な電子機器等に適用すれば、所望の項目の設定等を効率よく容易に行える。
【符号の説明】
【０１２０】
１０・・・情報処理装置
１１・・・処理部
１２，４２，６２・・・表示部
１３，４３，６３・・・操作入力部
１５，４５，６５・・・制御部
２０・・・撮像システム
３０・・・撮像装置
３１・・・撮像部
３２・・・画像信号処理部
３３・・・記録再生部
３４・・・出力部
３５，５５・・・計時部
３６，５６・・・通信部
４６，６６・・・記憶部
５０・・・リモコン装置
１３１，１３２・・・項目切替ボタン
４３１〜４３４・・・操作ボタン
【図１】
2017117251.tif 000003
【図２】
2017117251.tif 000004
【図３】
2017117251.tif 000005
【図４】
2017117251.tif 000006
【図５】
2017117251.tif 000007
【図６】
2017117251.tif 000008
【図７】
2017117251.tif 000009
【図８】
2017117251.tif 000010
【図９】
2017117251.tif 000011
【図１０】
2017117251.tif 000012
【図１１】
2017117251.tif 000013
【図１２】
2017117251.tif 000014
【図１３】
2017117251.tif 000015